(57)【要約】【課題】  ハウジングの高さを低くするると共に、リアホルダを付加したハウジングであっても、スタビライザ部を有する接続端子をハウジング内に容易に挿入する。【解決手段】  接続端子をハウジング本体１１の端子収容孔１２内に挿入する際には、ハウジング本体１１の後部に別体のリアホルダ２１を連結させておく。リアホルダ２１に接続端子を通過させる端子挿通孔２２がハウジング本体１１の端子収容孔１２の形状と一致して形成されており、リアホルダ２１をハウジング本体に連結した状態で端子挿通孔２２と端子収容孔１２は同形状に連通するようになっている。ハウジング本体１１の上下の端子収容孔１２、リアホルダ２１の端子挿通孔２２においては、スタビライザ収納部同士が向き合うように、つまり一方の端子収容孔のスタビライザ収納部がない部分と他方の端子収容孔のスタビライザ収納部が向き合うようにして設けられ、隔壁には段差が形成されている。【選択図】        図１
2007095396.tif 000002
【特許請求の範囲】
【請求項１】
接続部の上方又は下方の片側にスタビライザ部を突設した複数の受け用接続端子を収容する複数段の端子収容孔をハウジング本体に形成し、該ハウジング本体の後部に別体のリアホルダを付設可能とし、前記端子収容孔は上下対称に前記端子収容孔のスタビライザ収納部が向かい合うように配置して、前記上下の端子収容孔間の隔壁に段差を設け、前記リアホルダの端子挿通孔は前記ハウジング本体に設けた前記端子収容孔の断面と同形状に形成して同じに配列し、前記リアホルダを前記ハウジング本体に連結した状態において、前記リアホルダの端子挿通孔と前記ハウジング本体の端子収容孔は個々に同形状に連通するようにしたことを特徴とする電気コネクタハウジング。
【請求項２】
前記ハウジング本体とリアホルダは連結手段により取り外し自在としたことを特徴とする請求項１に記載の電気コネクタハウジング。
【請求項３】
前記端子収容孔及び端子挿通孔は偶数段に設けたことを特徴とする請求項１に記載の電気コネクタハウジング。
【発明の詳細な説明】
【技術分野】
【０００１】
本発明は、ハウジング本体の端子収容孔、リアホルダの端子挿通孔の配置を工夫して、小型で使い易い電気コネクタハウジングに関するものである。
【背景技術】
【０００２】
図６に示すように、接続端子１の接続部２にスタビライザ部３を設けて、ハウジングに収納した後の接続端子１のハウジング内での揺動防止と、ハウジングに挿入する際の逆挿し防止を持たせている場合がある。
【０００３】
この場合のハウジングにおける接続端子１に対する端子収容孔４の断面は、図７に示すように四角状の断面であり、内部の上部に壁部５が設けられ、スタビライザ部３を収納するためのスタビライザ収納部６が付設されている。
【発明の開示】
【発明が解決しようとする課題】
【０００４】
ハウジング内に収納した接続端子を個々に固定するために、ハウジングにリアホルダを付設する場合がある。通常のリアホルダの端子挿通孔は、複数の接続端子を一括して挿入するように大きい開口となっているか、或いは接続端子ごとに端子挿通孔を設けているとしても、スタビライザ部の形状まで考慮されてはいない。
【０００５】
しかし、ハウジング本体にリアホルダを係止した状態で、接続端子をリアホルダを経由してハウジング本体の端子収容孔に挿通するには、リアホルダが邪魔になって奥部のハウジング本体の端子収容孔の位置、スタビライザ部の向きが十分に確認できないために、接続端子の挿入に難渋する。
【０００６】
特許文献１には、ハウジングにおけるこのような上下の端子収容孔のスタビライザ収納部を向き合わせることにより効率的に配置して、ハウジングの高さを低くすることが開示されている。
【０００７】
【特許文献１】特開平９−１９９２１１号公報
【０００８】
本発明の目的は、上述の課題を解消し、ハウジング本体に付設したリアホルダの端子挿通孔パターンをハウジング本体のスタビライザ収納部を含む端子収容孔パターンと同形状とし、接続端子挿入の容易性をもたらし、ハウジング高を低くできる電気コネクタハウジングを提供することにある。
【課題を解決するための手段】
【０００９】
上記目的を達成するための本発明に係る電気コネクタハウジングの技術的特徴は、接続部の上方又は下方の片側にスタビライザ部を突設した複数の受け用接続端子を収容する複数段の端子収容孔をハウジング本体に形成し、該ハウジング本体の後部に別体のリアホルダを付設可能とし、前記端子収容孔は上下対称に前記端子収容孔のスタビライザ収納部が向かい合うように配置して、前記上下の端子収容孔間の隔壁に段差を設け、前記リアホルダの端子挿通孔は前記ハウジング本体に設けた前記端子収容孔の断面と同形状に形成して同じに配列し、前記リアホルダを前記ハウジング本体に連結した状態において、前記リアホルダの端子挿通孔と前記ハウジング本体の端子収容孔は個々に同形状に連通するようにしたことにある。
【発明の効果】
【００１０】
本発明に係る電気コネクタハウジングによれば、ハウジングの高さを低くできると共に、リアホルダを付加したハウジングであっても、スタビライザ部を有する接続端子をハウジング内に容易に挿入することができる。
【発明を実施するための最良の形態】
【００１１】
本発明を図１〜図５に図示の実施の形態に基づいて詳細に説明する。
図１はハウジング本体及びリアホルダの斜視図であり、接続端子をハウジング本体１１の端子収容孔１２内に挿入する際には、予め図２に示すようにハウジング本体１１の後部に別体のリアホルダ２１を連結させておく。この連結は図示を省略しているが、爪部、凹部などの連結機構により、リアホルダ２１をハウジング１１の後部に押し込むことによりなされる。
【００１２】
リアホルダ２１には、接続端子を通過させるための端子挿通孔２２が形成されており、この端子挿通孔２２はハウジング本体１１の端子収容孔１２の形状と一致し、かつ配列も一致している。従って、リアホルダ２１をハウジング本体に連結した状態で、端子挿通孔２２と端子収容孔１２は同形状に連通するようになっている。
【００１３】
端子収容孔１２は図３に示すように、ハウジング本体１１の背面に多数の入口部が２段に開口されている。これらの各端子収容孔１２の入口部は図４に拡大して示すように、四角状の収容孔本体１３の上部又は下部の片寄った位置にスタビライザ収納部１４が設けられている。上下の端子収容孔１２においては、スタビライザ収納部１４同士が向き合うように、つまり上方の端子収容孔１２のスタビライザ収納部１４がない部分と、下方の端子収容孔１２のスタビライザ収納部１４とが相互に向き合うようにして隔壁１５が設けられ、この隔壁１５には段差が形成されている。
【００１４】
ここで、端子収容孔１２の高さをｈ、隔壁１５の厚みをｄとし、スタビライザ収納部１４の高さをｈ’とすると、上下２個の端子収容孔１２を合わせた大きさＴは、Ｔ＝２ｈ＋ｄ−ｈ’となり、図７に示した端子収容孔４を単に並べただけの例えば図５と比較して、一方のスタビライザ収納部１４の高さｈ’分だけ端子収容孔１２を合わせた大きさを小さくすることができる。
【００１５】
この図３に示す端子収容孔１２のパターンは、上述したようにリアホルダ２１の端子挿通孔２２にスタビライザ挿通孔を設けた同一形状とされており、リアホルダ２１をハウジング本体１１の後方に連結すれば、接続端子１はリアホルダ２１の端子挿通孔２２にスタビライザ部３の位置を合わせて挿入すると、ハウジング本体１１の端子収容孔１２にそのまま押し込むことができる。
【００１６】
なお、図６においては、接続端子１のスタビライザ部３は接続部２の上部に形成されたものについて説明したが、スタビライザ部３を接続部２の下部に設けた場合でも同様である。
【００１７】
また、ハウジング本体１１内の接続端子１の端子収納孔１２は、実施例のように２段にするとは限らず、３段以上に配置する場合においても同様に適用できる。なお、これらの場合に特に偶数段に配置する場合が、スラビライザ収納部１４の一方の高さｈ’を相殺できるので効果が大きい。
【図面の簡単な説明】
【００１８】
【図１】ハウジング本体とリアホルダの斜視図である。
【図２】ハウジング本体にリアホルダを連結した状態の斜視図である。
【図３】ハウジング本体の端子収容孔の入口部の模式図である。
【図４】端子収容孔の配置の説明図である。
【図５】従来の端子収容孔の配置の説明図である。
【図６】接続端子の斜視図である。
【図７】端子収容孔の正面図である。
【符号の説明】
【００１９】
１１  ハウジング本体
１２  端子収容孔
１３  収容孔本体
１４  スタビライザ収納部
１５  隔壁
２１  リアホルダ
２２  端子挿通孔
【図１】
2007095396.tif 000003
【図２】
2007095396.tif 000004
【図３】
2007095396.tif 000005
【図４】
2007095396.tif 000006
【図５】
2007095396.tif 000007
【図６】
2007095396.tif 000008
【図７】
2007095396.tif 000009